(57)【要約】【課題】本発明は上記技術的課題に鑑みて、蛇口を脱着することなく取り付けることができ、蛇口の高さが異なっても取り付けが容易であり、見栄えの良い水栓柱用カバーの提供を目的とする。【解決手段】カバー本体と化粧パネルとを備え、カバー本体は、蛇口を挿通できる大きさで左右方向より上下方向に長い形状の蛇口挿通用開口部を有し、化粧パネルは、カバー本体の蛇口挿通用開口部の大きさよりも大きく水栓柱の蛇口取付面と当該蛇口挿通用開口部との間に配設するものであることを特徴とする。【選択図】  図１
2008121273.tif 000002
【特許請求の範囲】
【請求項１】
カバー本体と化粧パネルとを備え、
カバー本体は、蛇口を挿通できる大きさで左右方向より上下方向に長い形状の蛇口挿通用開口部を有し、
化粧パネルは、カバー本体の蛇口挿通用開口部の大きさよりも大きく水栓柱の蛇口取付面と当該蛇口挿通用開口部との間に配設するものであることを特徴とする水栓柱用カバー。
【請求項２】
化粧パネルは、水栓柱の蛇口根元に対応する部分で２つ以上に分割又は分離できるものであることを特徴とする請求項１記載の水栓柱用カバー。
【請求項３】
化粧パネルは、ショートパネルとショートパネルよりも長いロングパネルとを有し、ショートパネルとロングパネルとを水栓柱の蛇口根元で摺動し又は突き合わせるものであることを特徴とする請求項２記載の水栓柱用カバー。
【請求項４】
ショートパネルとロングパネルとのうち、少なくともどちらか一方の摺動部又は突き合わせ部に蛇口根元を呑み込む切欠部を有していることを特徴とする請求項３記載の水栓柱用カバー。
【請求項５】
ショートパネルはその長さがカバー本体の蛇口挿通用開口部の上下方向長さの１／２以下であることを特徴とする請求項３又は４記載の水栓柱用カバー。
【請求項６】
ショートパネル及びロングパネルは正面部と、正面部の左右に設けた側部を有し、当該側部を用いて水栓柱に取り付けるものであることを特徴とする請求項３〜５のいずれかに記載の水栓柱用カバー。
【請求項７】
カバー本体は、正面部及び、正面部の左右に設けた側部と上部に設けた天部とを有し、側部を用いて水栓柱に固定するものであることを特徴とする請求項３〜６のいずれかに記載の水栓柱用カバー。
【発明の詳細な説明】
【技術分野】
【０００１】
本発明は屋外等に設けてある立上りタイプの水栓柱用のカバーに関する。
【背景技術】
【０００２】
屋外に設けてある立上り水栓柱は、多くの場合凍結防止を目的にコンクリート製又は合成樹脂製の略四角柱にて保護してある。
しかし、この種の水栓柱は外観意匠性に劣り、周囲の環境との調和がとれていない場合が多い。
そこで意匠性に優れたカバーを取り付けることが試みられている。
例えば、特開平１１−１１７３５７号公報には、水栓柱を外側から覆う装飾カバーを開示する。
しかし、同公報に開示の装飾カバーは、水栓柱から蛇口を取り外さなければ水栓柱に取り付けることができないものであり、専門業者でなければ取り扱えないという技術的課題がある。
また、特開２００１−１７３０３０号公報には、水栓柱の三方を覆う三方囲い部と、蛇口の上側前方を覆う上側正面板と、蛇口の下側前方を覆う下側正面板とからなるカバーを開示する。
しかし、同公報に開示するカバーであっては、水栓柱の蛇口高さが異なると、その異なる水栓柱毎に上側正面板と下側正面板の切断長さを変える必要があり、その為の切断作業が大変であり、やはり専門業者を必要とするものであった。
【０００３】
【特許文献１】特開平１１−１１７３５７号公報
【特許文献２】特開２００１−１７３０３０号公報
【発明の開示】
【発明が解決しようとする課題】
【０００４】
本発明は上記背景技術に鑑みて、蛇口を脱着することなく取り付けることができ、蛇口の高さが異なっても取り付けが容易であり、見栄えの良い水栓柱用カバーの提供を目的とする。
【課題を解決するための手段】
【０００５】
本発明に係る水栓柱用カバーは、カバー本体と化粧パネルとを備え、カバー本体は、蛇口を挿通できる大きさで左右方向より上下方向に長い形状の蛇口挿通用開口部を有し、化粧パネルは、カバー本体の蛇口挿通用開口部の大きさよりも大きく水栓柱の蛇口取付面と当該蛇口挿通用開口部との間に配設するものであることを特徴とする。
ここで、カバー本体の蛇口挿通用開口部は水栓柱から蛇口を取り外すことなく、蛇口を挿通させてカバー本体を水栓柱に被せるためのものであり、本発明においては、蛇口の高さの異なる水栓柱に対応できるように上下方向が長い開口部になっているので、そのまま直接的に水栓柱に被せると、蛇口の周囲の水栓柱が外部から見ることになり見栄えが悪い。
そこで、本発明においては、カバー本体の蛇口挿通用開口部と水栓柱の蛇口取付面との間に化粧部材となる化粧パネルを配設してこの蛇口挿通用開口部を塞いだものである。
ここで化粧パネルも蛇口を取り外さずに水栓柱に取り付けることができるものである。
なお本明細書にて上下方向及び左右方向とはカバーを水栓柱に取り付けた状態での方向を示す。
【０００６】
カバー本体の蛇口挿通用開口部の開口形状は蛇口を外すことなく挿通できて、上下方向が左右方向より長ければ矩形形状でも楕円、長孔形状等その形は問わない。
屋外に設けた水栓柱の蛇口高さにはバラツキがあるので、上下方向の開口の大きさは１５ｃｍ〜２５ｃｍの範囲が好ましい。
【０００７】
請求項２記載に係る水栓柱用カバーは請求項１の構成に加えて化粧パネルは、水栓柱の蛇口根元に対応する部分で２つ以上に分割又は分離できるものであることを特徴とする。
化粧パネルはカバー本体の蛇口挿通用開口部の内側に配設して、蛇口挿通用開口部に位置する水栓柱の立上り部を外部から見えないようにするものであり、化粧部材となるものだが、この化粧パネルを蛇口周囲に取り付けやすくするために水栓柱の蛇口根元に対応する部分で２つ以上に分割又は分離できるようにした。
ここで分割とは２つのパネルを一部で連結してこの連結部で折り曲げるようにして開き蛇口根元に取り付けることができる場合をいい、分離とは蛇口根元部分に対応する部分を境にして２つ以上に切り離すことができることをいう。
【０００８】
請求項３記載に係る発明は、化粧パネルは、ショートパネルとショートパネルよりも長いロングパネルとを有し、ショートパネルとロングパネルとを水栓柱の蛇口根元で摺動し、又は突き合わせるものであることを特徴とする。
また、ショートパネルとロングパネルとのうち、少なくともどちらか一方の摺動部又は突き合わせ部に蛇口根元を呑み込む切欠部を有しているのが好ましい。
カバー本体を水栓柱に取り付ける際に蛇口挿通用開口部の上下方向中央に蛇口が位置する場合は、化粧パネルを上下に同じ長さのパネルに分割又は分離すればよいがショートパネルと、それより長さの長いロングパネルとに分割又は分離することにより、蛇口根元の位置がカバー本体の蛇口挿通用開口部の上下方向中央より上になる場合にはショートパネルを上側にして取り付けることになり、逆に蛇口根元の位置が蛇口挿通用開口部の上下方向中央より下になる場合にはショートパネルを下側にして取り付けることができ、カバー本体の蛇口挿通用開口部の開口内側上縁から上に飛び出す化粧パネルの長さを少なく抑えることができ、蛇口挿通用開口部と天部との間の逃げ代を少なくできる。
よって、ショ−トパネルは、その長さがカバー本体の蛇口挿通用開口部の上下方向長さの１／２以下であってもよい。
【０００９】
化粧パネルを構成するショートパネルとロングパネルとを水栓柱とカバー本体との間に配設する方法としては化粧パネルを水栓柱側に固定してもカバー本体側に固定してもよいが水栓柱側に固定する方法としては、ショートパネル及びロングパネルは正面部と、正面部の左右に設けた側部を有し、当該側部を用いて水栓柱に取り付けるものであることを特徴とする。
また、カバー本体を水栓柱に固定する方法としては、カバー本体は、正面部及び、正面部の左右に設けた側部と上部に設けた天部とを有し、側部を用いて水栓柱に固定するものであることを特徴とする。
【発明の効果】
【００１０】
本発明に係る水栓柱用カバーにおいては、カバー本体に、蛇口を脱着することなく挿通できる大きさの蛇口挿通用開口部を設けるとともに、水栓柱の蛇口取付面とこの蛇口挿通用開口部との間に化粧用の化粧パネルを設けたので水栓柱から蛇口を脱着することなく容易にカバーを取り付けることができる。
また、蛇口の高さが異なってもカバー本体の蛇口挿通用開口部の上下方向の開口寸法で吸収することができるために専門業者に頼ることなく各種水栓柱に取り付けることができる。
さらには、蛇口挿通用開口部が内側から化粧パネルで塞がれた状態になるので見栄えも良い。
【００１１】
化粧パネルをショートパネルとロングパネルとで構成した場合にはカバー本体の蛇口挿通用開口部の上下方向中央と蛇口根元との相対的位置関係に応じて蛇口根元が中央より上に位置する場合には上側にショートパネルを配置し、逆に蛇口根元が中央より下に位置する場合にはショートパネルを下側に配置すればよく、化粧パネルの全体の上下寸法を小さく抑えることができるとともにカバー本体における蛇口挿通用開口部の内側上縁と天部との逃げ部を小さくすることができる。
【発明を実施するための最良の形態】
【００１２】
本発明に係る水栓柱用カバーの実施例について以下図面に基づいて説明する。
図１は水栓柱１の立上り部で、蛇口２を取り付けてある蛇口取付面１ａに化粧パネル２０を固定した状態と、カバー本体１０の斜視図を模式的に示す。
図１に示した例はカバー本体１０の蛇口挿通用開口部１１の上下方向Ｈ寸法の中央よりも上側に蛇口２が位置する場合で、化粧パネル２０は蛇口根元の上側にショートパネル２１、下側にロングパネル２２を配置した例を示す。
【００１３】
化粧パネル２０は横断面略コ字形状になっていて、ショートパネル２１とロングパネル２２とを蛇口２の根元部で突き合わせた状態で水栓柱１に固定してある。
ショートパネル２１は蛇口取付面に位置する正面部２１ａの両側に側部２１ｂ、２１ｃを形成してあり、この両側の側部２１ｂ、２１ｃに雌ねじ孔２３ａを形成し、外側の両側からボルト２３等で水栓柱の側面１ｂ、１ｃに締め付け固定する。
ロングパネル２２はショートパネル２１よりも上下方向の長さが長く、ショートパネル２１と同様に正面部２２ａの横方向両側に奥側に折り曲げ形成した側部２２ｂ、２２ｃを有している。
ロングパネルの両側の側部２２ｂ、２２ｃには雌ねじ孔２３ａが形成してあり、ボルト２３等で水栓柱の側部に固定する。
ショートパネル２１、ロングパネル２２の側部の雌ねじ孔はナットを溶接しても、バーリング加工等でもよい。
また、ショートパネル２１とロングパネル２２との突き合わせ部には蛇口の根元を呑み込む切欠部２１ｄ、２２ｄを形成してある。
なお本実施例においては、化粧パネルを水栓柱の側部を用いて固定した例を示したが水栓柱の裏面にまわり込むようにバンド締めしてもよい。
【００１４】
水栓柱に化粧パネル２０を固定した状態でカバー本体１０を、カバーの裏面に設けた水栓柱が通り抜ける大きさの取付口１２から水栓柱に被せ、蛇口挿通用開口部１１から蛇口２を挿入し表側に突出させる。
カバー本体１０は正面部１０ａ、両側の側部１０ｂ、１０ｃ及び天部１０ｄからなり、水栓柱への固定方法は後述する。
図１に示したカバー本体１０の開口部１１の例は上下Ｈ寸法と左右Ｗ寸法とからなる略長方形の例であるが、蛇口２を取り外すことなく水栓柱に被せることができるものであれば蛇口挿通用開口部の形状は本実施例に限定されず、楕円、長孔、異形形状でもよい。
また、幅方向のＷ寸法は蛇口２が挿通できる範囲で狭くてもよいが、上下方向のＨ寸法は蛇口高さの異なる各種水栓柱に対応できる程度に大きい方がよい。
屋外に設けてある水栓柱の蛇口高さは、水栓柱の地中への埋め込み量によってもバラツキが生じるので、Ｈ寸法は１５ｃｍ〜２５ｃｍの範囲が好ましい。
また、Ｗ寸法は蛇口が挿通できればよく５ｃｍ〜１０ｃｍ程度でよい。
【００１５】
図２に化粧パネル２０とカバー本体１０の蛇口挿通用開口部１１との位置関係を示す。
図２（ａ）は、蛇口根元部突出口２４の位置が蛇口挿通用開口部１１の上下方向センターラインＣＬよりも上側に位置する場合でこの場合にはショートパネル２１を蛇口の上側にする。
図２（ｂ）に示した例は上記とは逆に蛇口根元部突出口２４が蛇口挿通用開口部１１の上下方向センラーラインＣＬより下側に位置する場合でこの場合には、ショートパネル２１を蛇口の下側に配置する。
これにより化粧パネル２０の全体の上下寸法を蛇口高さの変化を吸収しつつ、小さく抑えることができる。
また、蛇口高さに合わせて化粧パネル２０の固定高さを調整するためには、図２（ａ）に示すように化粧パネルの上端ｕが蛇口挿通用開口部１１の開口上縁１１ｕより上になければならず、且つ、カバー本体１０の天部１０ｄの内側に逃げ部（逃げスペース）ｄが必要になるが、ショートパネル２１とロングパネル２２とを組み合わせたことにより、この天部下側の逃げ部を小さく抑えることができる。
【００１６】
図３にショートパネル２１とロングパネル２２との突き合わせ例を示す。
ショートパネル２１とロングパネル２２とは蛇口の根元部で確実に突き合わせできるように切欠部２１ｄ、２２ｄを形成するとともに差し込み片２２ｅ、２２ｆを形成し、差し込み片２２ｆには係止突部２２ｇを設け、対応する反対側のパネルには係止孔２１ｅを設けてある。
なお、ショートパネルとロングパネルの分割又は分離する方法とは図６（ａ）に示したように一方のパネルにスライド差し込み部２２ｈを設けた摺動嵌合方式でもよく、図６（ｂ）に示したように一方のパネルに長さ調整ができるように蛇腹部２２ｉを設けてもよい。
また、図７（ａ）、（ｂ）に示すように左右方向の一方又は両方に開く折り曲げ部２１ｆ、２１ｇ、２１ｈを設けてもよい。
【００１７】
図４にカバー本体１０の水栓柱１への固定方法例を示す。
図４は水栓柱を裏側から見た状態を示し、カバー本体１０の裏面に水栓柱１が通り抜ける大きさの取付口１２が開口して設けてあり、カバー本体１０の側部１０ｂ、１０ｃに雌ねじ孔１３ａを形成してある。
左右の側部の雌ねじ孔１３ａの外側からボルトを螺入し、水栓柱の側部に固定するがボルトの先端にはボルトと回転自在の固定板１３ｂが連結してある。
なお、ボルト１３の締め付けによりカバー本体１０の取付口下端が開くのを防止するために間口連結具１４を取り付けてもよい。
間口連結具１４は側面視略コ字型になっていて、係止爪１４ａ、１４ｂを有している。
【００１８】
図５に本発明に係る水栓柱用カバーの適用例を示す。
水栓柱に被せたカバー本体１０はレンガ調の外観になっていて、蛇口２がカバー本体１０の蛇口挿通用開口部１１より突出していて、この蛇口挿通用開口部には化粧用の化粧パネル２０が配置されている。
化粧パネルはカバー本体に色調を合わせもよく、ブラック色のように背景色にしてもよい。
なお、図５に示した例では水溜め部３１を有する洗い場３０を設けた例である。
【図面の簡単な説明】
【００１９】
【図１】本発明に係る水栓柱用カバーの構成例を示す。
【図２】化粧パネルと蛇口挿通用開口部の位置関係を示す。
【図３】化粧パネルの構成例を示す。
【図４】カバー本体の水栓柱への固定例を示す。
【図５】本発明に係る水栓柱用カバーの適用例を示す。
【図６】化粧パネルの変形例を示す。
【図７】化粧パネルの他の変形例を示す。
【符号の説明】
【００２０】
１      水栓柱
２      蛇口
１０    カバー本体
１１    蛇口挿通用開口部
１２    取付口
２０    化粧パネル
２１    ショートパネル
２２    ロングパネル
【図１】
2008121273.tif 000003
【図２】
2008121273.tif 000004
【図３】
2008121273.tif 000005
【図４】
2008121273.tif 000006
【図５】
2008121273.tif 000007
【図６】
2008121273.tif 000008
【図７】
2008121273.tif 000009